(57)【特許請求の範囲】
【請求項１】
被検眼の眼底にトラッキング用の光束を照射し、ミラーの駆動により眼底の動きに追従して測定光束を常に眼底上の測定位置に照射するトラッキング手段と、眼底上の前記測定位置が前記トラッキング手段の前記ミラーの駆動範囲を越えたことを検知すると警告を発する警告手段とを有することを特徴とする眼科診断装置。
【請求項２】
被検眼の眼底に測定用の光を照射する光源と、前記光束の眼底からの反射光を受光し電気信号に変換する測定光受光手段と、前記電気信号に基づいて前記測定対象の血管内の血流を算出する手段とを有することを特徴とする請求項１に記載の眼科診断装置。
【請求項３】
被検眼の視線を誘導するための固視標を提示する固視標提示手段と、被検眼の眼底にトラッキング用の光束を照射し、ミラーの駆動により眼底の動きに追従して測定光束を常に眼底上の測定位置に照射するトラッキング手段と、眼底上の前記測定位置が前記トラッキング手段の前記ミラーの駆動範囲を越えたことを検知すると前記固視標の提示位置を変える固視標移動手段とを有することを特徴とする眼科診断装置。
【請求項４】
前記固視標提示手段に前記固視標を提示する位置を指示する操作手段を備え、前記固視標移動手段が動作中は前記操作手段からの指示を受け付けないようにしたことを特徴とする請求項３に記載の眼科診断装置。
【請求項５】
被検眼の眼底に測定用の光束を照射する光源と、前記光束の眼底からの反射光を受光し電気信号に変換する測定光受光手段と、前記電気信号に基づいて前記測定対象の血管内の血流を算出する手段とを有することを特徴とする請求項３又は４に記載の眼科診断装置。
【発明の詳細な説明】
【０００１】
【発明の属する技術分野】
本発明は、被検眼の眼底に光束を照射してその眼科特性を計測する眼科診断装置に関するものである。
【０００２】
【従来の技術】
従来、レーザー光などの測定光束を眼内に照射して被検眼の特性を計測する眼科診断装置としては、眼底血流計やレーザーフレアセルメータ等がある。眼底血流計は無侵襲に直接観察できる眼底血管の血流を測定するものであり、測定光束を照射しドップラー原理やスペックル現象を利用した各種の眼底血流計が考案されている。
【０００３】
このような眼底血流計では、測定光束を常に眼底上の測定位置に照射するために、眼底の動きをトラッキングするようになっており、更に被検眼の正確な固視誘導を必要とするために、一般的には内部固視装置を設けて固視目標を呈示し、被検眼の視線を誘導することによって眼底の必要部位を選択するようにしている。
【０００４】
この内部固視装置としては、１個のＬＥＤ又はアパーチャ又は遮光物を備え、検者が固視標移動手段を制御することにより、被検眼の視線を誘導する方向に固視標を動かす方式のものや、複数のＬＥＤや複数の液晶パターンを有する透過型の液晶を設け、検者が固視標移動手段を制御してその内の１つを選択的して呈示するものなどがある。
【０００５】
また、眼底カメラでは例えば特公平３−４８８１０号公報に記載されているように、左眼用及び右眼用の２つの固視目標を有し、眼底カメラの筺体の左右動に連動して、左右眼に対応した１つの固視目標を選択できるように構成されているものも知られている。
【０００６】
【発明が解決しようとする課題】
(1) しかしながら上述の従来例のように、被検眼の眼底の動きをトラッキングして、測定光束を常に眼底上の測定位置に照射するトラッキング手段を有する眼科診断装置では、眼底の動きが大きい場合には、トラッキング可能範囲を越えてしまってトラッキングができなくなることがある。
【０００７】
(2) また、眼底血流計等の内部固視装置では、測定中に検者が固視標移動手段と接触して内部固視標が動いてしまうことがある。
【０００８】
本発明の第１の目的は、上述の問題点(1) を解消し、眼底の動きが大きい場合でも、トラッキングを継続して行うことができる眼科診断装置を提供することにある。
【０００９】
本発明の第２の目的は、上述の問題点(2) を解消し、測定中は固視標移動手段からの信号に拘らず、内部固視標が動かない眼科診断装置を提供することにある。
【００１０】
【課題を解決するための手段】
上記目的を達成するための第１発明に係る眼科診断装置は、被検眼の眼底にトラッキング用の光束を照射し、ミラーの駆動により眼底の動きに追従して測定光束を常に眼底上の測定位置に照射するトラッキング手段と、眼底上の前記測定位置が前記トラッキング手段の前記ミラーの駆動範囲を越えたことを検知すると警告を発する警告手段とを有することを特徴とする
【００１１】
第２発明に係る眼科診断装置は、被検眼の視線を誘導するための固視標を提示する固視標提示手段と、被検眼の眼底にトラッキング用の光束を照射し、ミラーの駆動により眼底の動きに追従して測定光束を常に眼底上の測定位置に照射するトラッキング手段と、眼底上の前記測定位置が前記トラッキング手段の前記ミラーの駆動範囲を越えたことを検知すると前記固視標の提示位置を変える固視標移動手段とを有する。
【００１３】
【発明の実施の形態】
本発明を図示の実施例に基づいて詳細に説明する。
図１は実施例の眼底血流計の斜視図を示し、基台１上にはステージ固定部２とテレビモニタ３が載置され、ステージ固定部２には前後左右に移動自在のステージ可動部４と顎支持台５が固定されている。ステージ可動部４上には測定ヘッド６が載置され、検者側には操作桿７、スイッチ８、操作リング９、測定モード選択スイッチ１０、血流速表示用ＬＥＤ１１が固定されている。そして、測定ヘッド６には、固視標移動手段である操作ノブ１２、フォーカスノブ１３、イメージローテータノブ１４が設けられている。
【００１４】
図２は測定ヘッド６に内蔵された眼底血流計の本体部の構成図を示し、白色光を発するタングステンランプ等から成る観察用光源２１から、被検眼Ｅと対向する位置に配置された対物レンズ２２に至る照明光路上には、コンデンサレンズ２３、例えば黄色域の波長光のみを透過するバンドパスフィルタ付のフィールドレンズ２４、被検眼Ｅの瞳孔Epとほぼ共役な位置に設けられたリングスリット２５、被検眼Ｅの水晶体とほぼ共役な位置に設けられた遮光部材２６、リレーレンズ２７、光路に沿って移動自在な固視標表示用素子で図３に示すような複数個のドットパターンＱが並ぶ透過型液晶板２８、リレーレンズ２９、被検眼Ｅの角膜近傍と共役に設けられた遮光部材３０、孔あきミラー３１、黄色域の波長光を透過し他の光束を殆ど反射するバンドパスミラー３２が順次に配列され、照明光学系が構成されている。
【００１５】
なお、リングスリット２５、遮光部材２６、３０は被検眼Ｅの前眼部において眼底照明光と眼底観察光を分離するためのものであり、必要な遮光領域を形成するものであればその形状は問題とならない。また、本実施例では直径０．２２ｍｍの丸型ドットパターンＱを０．２５mmのピッチで６４個×６４個並べたものを使用し、その内の１つのドットパターンＱを透過型液晶板２８上に呈示するようになっているが、被検眼の視線誘導ができればドットパターンＱの形状、大きさ、総数は実施例に限らず他のものでもよく、またドットパターンＱは１つを表示するのではなく、十字形状に表示するなど複数のドットパターンＱを表示するようにしてもよい。
【００１６】
孔あきミラー３１の背後には眼底観察光学系が構成されており、光路に沿って移動自在な第１のフォーカスレンズ３３、リレーレンズ３４、スケール板３５、光路中に挿脱自在な光路切換ミラー３６、接眼レンズ３７が順次に配列され、検者眼ｅに至っている。光路切換ミラー３６が光路中に挿入されているときの反射方向の光路上には、テレビリレーレンズ３８、ＣＣＤカメラ３９が配置されており、ＣＣＤカメラ３９の出力はテレビモニタ３に接続されている。
【００１７】
バンドパスミラー３２の反射方向の光路上には、イメージローテータ４０、紙面に垂直な回転軸を有し両面が研磨されたガルバノメトリックミラー４１が配置され、ガルバノメトリックミラー４１の下側反射面４１ａの反射方向には光路に沿って移動自在な第２のフォーカスレンズ４２が配置され、上側反射面４１ｂの反射方向にはレンズ４３、光路に沿って移動自在なフォーカスユニット４４が配置されている。なお、レンズ４３の前側焦点面は被検眼Ｅの瞳孔Epと共役関係にあり、この焦点面にガルバノメトリックミラー４１が配置されている。
【００１８】
ガルバノメトリックミラー４１の上方には、光路長補償半月板４５、光路中に遮光部を有する黒点板４６、凹面ミラー４７が配列され、ガルバノメトリックミラー４１の下側反射面４１ａにより反射されることなく通過する光束を、ガルバノメトリックミラー４１の上側反射面４１ｂへ導くリレー光学系が構成されている。なお、光路長補償半月板４５はガルバノメトリックミラー４１の上側反射面４１ｂ、下側反射面４１ａの位置が、そのミラー厚によって生ずる図面上下方向へのずれを補正するためのものであり、イメージローテータ４０に向かう光路中にだけ作用する。
【００１９】
フォーカスユニット４４においては、レンズ４３と同一光路上にダイクロイックミラー４８、集光レンズ４９が順次に配列され、ダイクロイックミラー４８の反射方向の光路上にはマスク５０、ミラー５１が配置されており、このフォーカスユニット４４は一体的に矢印で示す方向に移動できるようになっている。また、レンズ４９の入射方向の光路上には、固定ミラー５２、光路から退避可能な光路切換ミラー５３が平行に配置され、光路切換ミラー５３の入射方向の光路上には、コリメータレンズ５４、コヒーレントな例えば赤色光を発する測定用のレーザーダイオード５５が配列されている。更に、ミラー５１の入射方向の光路上には、シリンドリカルレンズ等から成るビームエクスパンダ５６、他の光源と異なる例えば緑色光を発する高輝度のトラッキング用光源５７が配列されている。
【００２０】
ガルバノメトリックミラー４１の下側反射面４１ａの反射方向の光路上には、第２のフォーカスレンズ４２、ダイクロイックミラー５８、フィールドレンズ５９、拡大レンズ６０、イメージインテンシファイヤ付の一次元ＣＣＤ６１が順次に配列され、血管検出系が構成されている。また、ダイクロイックミラー５８の反射方向の光路上には、結像レンズ６２、共焦点絞り６３、被検眼Ｅの瞳孔Epとほぼ共役に設けられたミラー対６４ａ、６４ｂが配置され、ミラー対６４ａ、６４ｂの反射方向にはそれぞれフォトマルチプライヤ６５ａ、６５ｂが配置され、測定用受光光学系が構成されている。なお、図示の都合上、全ての光路を同一平面上に示したが、ミラー対６４ａ、６４ｂの反射光路、トラッキング用光源５７の出射方向の測定光路、レーザーダイオード５５からマスク５０に至る光路はそれぞれ紙面に直交している。
【００２１】
更に、装置全体を制御するためのシステム制御部６６が設けられ、システム制御部６６には、操作桿ノブ１２、スイッチ８、測定モード選択スイッチ１０、左右動検知手段６７、フォトマルチプライヤ６５ａ、６５ｂの出力がそれぞれ接続されており、一次元ＣＣＤ６１の出力は血管位置検出回路６８に接続され、血管位置検出回路６８の出力は制御部６６とガルバノメトリックミラー４１を制御する制御回路６９に接続され、システム制御部６６の出力は、光路切換ミラー５３、血流速表示用ＬＥＤ１１、透過型液晶板２８、制御回路６９にそれぞれ接続されている。
【００２２】
図４は被検眼Ｅの瞳孔Ep上の各光束の配置を示し、Ｉは黄色の照明光により照明される領域を示しリングスリット２５の像、Ｏは眼底観察光束で孔あきミラー３１の開口部の像、Ｖは測定／血管受光光束でガルバノメトリックミラー４１の上下側反射面４１ｂ、４１ａの有効部の像、Da、Dbは２つの測定受光光束でそれぞれミラー対６４ａ、６４ｂの像である。また、 P1 、P1' は測定光の入射位置で、光路切換ミラー５３を切換えることによって選択される測定光の位置を示し、鎖線で示す領域Ｍはガルバノメトリックミラー４１の下側反射面４１ａの像である。
【００２３】
測定に際しては、検者は先ず顎支持台５に被検者の顔を固定し、測定モード選択スイッチ１０により例えば乳頭付近の血管を計測する測定モードを選択する。左右動検知手段６７によってステージ可動台３の左右の位置が検知されて、被検眼Ｅが左眼か右眼かが判別され、左右動検知手段６７と測定モード選択スイッチ１０からの信号がシステム制御部６６に送られる。これらの信号に応じて、透過型液晶板２８に予め定められた所定のドットパターンＱが固視標として表示され、観察用光源２１が点灯する。
【００２４】
観察用光源２１から発した白色光はコンデンサレンズ２３を通り、バンドパスフィルタ付フィールドレンズ２４により黄色の波長光のみが透過し、リングスリット２５、遮光部材２６、リレーレンズ２７を通って透過型液晶板２８を背後から照明する。更に、白色光はリレーレンズ２９、遮光部材３０を通って孔あきミラー３１で反射され、黄色域の波長光のみがバンドパスミラー３２を透過し、対物レンズ２２を通り、被検眼Ｅの瞳孔Ep上で眼底照明光光束像Ｉとして一旦結像した後に、眼底Eaをほぼ一様に照明する。
【００２５】
このとき、透過型液晶板２８にはドットパターンＱの内の１つが表示されており、これが照明光により被検眼Ｅの眼底Eaに投影され視標像として被検眼Ｅに呈示される。検者は操作ノブ１２を操作してシステム制御部６６に信号を送り、呈示されたドットパターンＱの位置を変更して、乳頭の右部が視野のほぼ中央に至るように被検眼Ｅの視線を誘導する。
【００２６】
眼底Eaからの反射光は同じ光路を戻り、瞳孔Ep上から眼底観察光光束Ｏとして取り出され、孔あきミラー３１の中心の開口部、フォーカスレンズ３３、リレーレンズ３４を通り、スケール板３５で図５に示すように眼底像Ea’として結像した後に、光路切換ミラー３６に至る。ここで、光路切換ミラー３６が光路から退避しているときは、検者眼ｅにより接眼レンズ３７を介して眼底像Ea’が観察可能となり、一方で光路切換ミラー３６が光路に挿入されているときは、スケール板３５上に結像された眼底像Ea’が、テレビリレーレンズ３８によりＣＣＤカメラ３９上に再結像され、テレビモニタ３に映し出される。
【００２７】
接眼レンズ３７又はテレビモニタ３により、この眼底像Ea’を観察しながら操作桿７、操作リング９を操作して、ステージ可動部４をＸ−Ｚ平面内とＹ方向に摺動し、被検眼Ｅに対する位置合わせを行う。このとき、目的に応じて適切な観察方式を採用することが好適であり、接眼レンズ３７による観察の場合は、一般的にテレビモニタ３等よりも高解像かつ高感度なので、眼底Eaの微細な変化を読み取って診断する場合に適している。
【００２８】
一方、テレビモニタ３による観察の場合は、視野を制限しないので検者の疲労を軽減することができ、更にＣＣＤカメラ３９の出力を外部のビデオテープレコーダやビデオプリンタ等に接続することにより、眼底像Ea’上の測定部位の変化を逐次に電子的に記録することが可能となるので、臨床上極めて有効である。
【００２９】
次に、測定用レーザーダイオード５５とトラッキング用光源５７を点灯する。レーザーダイオード５５を発した測定光は、コリメータレンズ５４によりコリメートされ、光路切換ミラー５３が光路に挿入されている場合には、光路切換ミラー５３、固定ミラー５２でそれぞれ反射され、集光レンズ４９の下方を通過し、光路切換ミラー５３が光路から退避している場合には、直接集光レンズ４９の上方を通過し、ダイクロイックミラー４８を透過する。
【００３０】
一方、トラッキング用光源５７から発したトラッキング光は、ビームエクスパンダ５６により縦横異なる倍率でビーム径が拡大され、ミラー５１で反射された後に、整形用マスク５０で所望の形状に整形され、ダイクロイックミラー４８に反射されて、集光レンズ４９によってマスク５０の開口部中心と共役な位置にスポット状に結像されている測定光と重畳される。
【００３１】
重畳された測定光とトラッキング光はレンズ４３を通り、ガルバノメトリックミラー４１の上側反射面４１ｂで一度反射され、黒点板４６を通った後に、凹面ミラー４７にて反射され、再び黒点板４６、光路長補正用半月板４５を通りガルバノメトリックミラー４１の方へ戻される。ここで、ガルバノメトリックミラー４１は被検眼Ｅの瞳孔Epと共役な位置に配置されているので、その像は被検眼Ｅの瞳孔Ep上において、図４の破線Ｍで示された形状となっている。
【００３２】
凹面ミラー４７、黒点板４６、光路長補正用半月板４５は光路上に同心に配置され、ガルバノメトリックミラー４１の上側反射面４１ｂと下側反射面４１ａとを−１倍にて結像するリレー光学系の機能が与えられているので、光路切換ミラー５３の光路中への挿入、退避によりガルバノメトリックミラー４１の像Ｍの裏側の図４の位置P1、P1' で反射された両光束は、ガルバノメトリックミラー４１の切欠き部に位置する位置P2、P2' へ戻されることになり、ガルバノメトリックミラー４１で反射されることなくイメージローテータ４０へ向かう。そして、イメージローテータ４０を経てバンドパスミラー３２によって対物レンズ２２の方へ偏向された両光束は、対物レンズ２２を介して被検眼Ｅの眼底Eaに照射される。
【００３３】
このように、測定光とトラッキング光はガルバノメトリックミラー４１の上側反射面４１ｂ内で反射され、再び戻されるときには対物レンズ２２の光軸から偏心した状態でガルバノメトリックミラー４１に入射され、瞳孔Ep上で位置P1から位置P2を通った光束がスポット像Ｐとなり、位置P1' から位置P2' を通った光束がスポット像Ｐ’として結像し、その後に眼底Eaを点状に照射する。
【００３４】
眼底Eaでの散乱反射光は再び対物レンズ２２で集光され、バンドパスミラー３２で反射されてイメージローテータ４０を通り、ガルバノメトリックミラー４１の下側反射面４１ａで反射され、フォーカスレンズ４２を通り、ダイクロイックミラー５８において測定光とトラッキング光とが分離される。
【００３５】
トラッキング光はダイクロイックミラー５８を透過し、フィールドレンズ５９、結像レンズ６０により、眼底観察光学系による眼底像Ea’よりも拡大された血管像Ev’として一次元ＣＣＤ６１上に結像し、一方で測定光はダイクロイックミラー５８により反射され、共焦点絞り６３の開口部を経てミラー対６４ａ、６４ｂで反射され、それぞれフォトマルチプライヤ６５ａ、６５ｂに受光される。
【００３６】
このとき、バンドパスミラー３２の分光特性のため観察用光源２１からの照明光は一次元ＣＣＤ６１には到達せず、その上に撮像範囲を狭く設定されているので、有害なフレア光も混入し難くなっている。この結果、一次元ＣＣＤ６１にはトラッキング光による血管像Ev' のみが撮像されることになる。また、血中ヘモグロビンと色素上皮上メラニンとは、緑色の波長域においてその分光反射率が大きく異なるため、トラッキング光を緑色光にすることにより、血管像Ev' をコントラスト良く撮像することが可能となる。
【００３７】
一次元ＣＣＤ６１に受光される光束は、被検眼Ｅの瞳孔Ep上で測定／血管受光光束Ｖから取り出された光束であり、この光束からミラー対６４ａ、６４ｂにより測定受光光束Da、Dbを通る光束を取り出し、フォトマルチプライヤ６５ａ、６５ｂで受光する。眼底観察光光束Ｏに比べて測定／血管受光光束Ｖを大きくしているのは、一次元ＣＣＤ６１の方が眼底観察光学系のＣＣＤカメラ３９よりも眼底Eaの結像倍率が大きいので、一次元ＣＣＤ６１上での像面照度が確保し難いためである。一方、光束を大きくしたことによる被検眼Ｅの前眼部で発生するフレア光の影響は、その受像範囲が血管受像光学系の方が小さいために問題とならない。また、測定受光光束Da、Dbの瞳孔Ep上の間隔は血流速度計測の分解能に直接影響するが、測定／血管受光光束Ｖを大きくすることにより、測定受光光束Da、Dbの間隔を十分に確保することが可能である。
【００３８】
また、測定光とトラッキング光による眼底Eaでの散乱反射光の一部はバンドパスミラー３２を透過し、孔あきミラー３１の背後の眼底観察光学系に導かれ、トラッキング光はスケール板３５上に棒状のインジケータＴとして結像し、測定光はこのインジケータＴの中心部にスポット像として結像する。図５に示すように、これらの像は接眼レンズ３７又はテレビモニタ３を介して、眼底像Ea’、照明光により被検眼Ｅの眼底Eaに投影された視標像Ｆと共に観察され、このときインジケータＴの中心には図示しないスポット像が重畳しており、インジケータＴはスイッチ８を回転操作することにより、眼底Ea上に投影されたスケール板３５に予め用意されている正円のスケールＳの範囲内を一次元的に移動させることができる。
【００３９】
検者はフォーカスノブ１３を回転調整して眼底像Ea’のピント合わせを行う。フォーカスノブ１３を回転すると、図示しない駆動手段により透過型液晶板２８、フォーカスレンズ３３、４２、フォーカスユニット４４が連動して光路に沿って移動し、眼底像Ea’のピントが合うと、透過型液晶板２８、スケール板３５、一次元ＣＣＤ６１、共焦点絞り６３は同時に眼底Eaと共役になる。
【００４０】
共焦点絞り６３は所望の血管Evにピントを合わせるためのものであり、図６においてその作用を説明すると、測定用のレーザーダイオード５５からの光束はミラー７１に下方から入射し、左右方向へ反射されて測定対象となる眼底Ea上の血管Evの測定部位K1を照射する。測定部位K1での反射光は、ミラー対６４ａ、６４ｂと同等の受光方向を決定する機能を有する開口７２を通過して、レンズ７３により測定部位K1に共役とされ、小孔７４を通過した後に図示しないフォトマルチプライヤへ受光される。一方、測定部位K1の後方にある脈絡膜Sc内の血管Evの測定部位K2での反射光は点線で示す光路を進み、実線で示す測定部位K1で反射された光束と同様にレンズ７３により結像されるが、小孔７４を通ることができないためにフォトマルチプライヤで受光されることはない。
【００４１】
このような小孔７４と同様の機能を有する共焦点絞り６３を設けて、特定の深さにある血管Evでの反射光のみをフォトマルチプライヤ６５ａ、６５ｂに受光させることにより、検者は図５に示す眼底像Ea’上のフォーカス状態を見ながら、測定対象とする血管Evの深さを設定し、眼底像Ea’のピントを合わせることができる。
【００４２】
このようにしてピント合わせが終了した後に、必要であれば検者は操作ノブ１２を操作して視標像Ｆを移動し、被検眼Ｅの視線を誘導して観察領域を変更し、測定対象とする血管Evをスケール板３５のサークルＳ内へ移動する。そして図７に示すように、イメージローテータノブ１４によりイメージローテータ４０を操作してインジケータＴを回転し、測定対象とする血管Evの走行方向に対してインジケータＴが垂直になるようにする。
【００４３】
このとき、眼底観察光はイメージローテータ４０を通過していないので、インジケータＴのみが回転するように認識される。従って、図４に示した瞳孔Ep上の各光学部材の像も原点を中心に同じ方向に同じ角度だけ回転し、測定受光光束Da、Dbの中心を結んだ直線と、スポット像Ｐ、Ｐ’の中心を結んだ直線であるＸ軸は、血管Evの走行方向に一致する。血流速度は血管壁からの散乱反射光と血液中の散乱反射光との干渉信号から求めているので、測定中にＸ軸方向に眼底Eaが移動しても、血管EvをＸ軸方向にほぼ平行にしておけば測定結果は影響されない。
【００４４】
一方、Ｘ軸と直交するＹ軸方向に眼底Eaが移動した場合には、測定用のレーザーダイオード５５からの光束が測定部位の血管Evから逸脱して測定値が不安定になるが、その場合はＹ軸方向についてのみ血管Evの移動量を検知すればよく、本実施例ではダイクロイックミラー５８の背後の血管検出系とガルバノメトリックミラー４１により、この一方向のみのトラッキングを行っている。
【００４５】
本実施例では、トラッキング光の長手方向に一次元ＣＣＤ６１の素子が配列されており、図７に示すように測定部位の角度合わせが終了している場合は、トラッキング光を示すインジケータＴの長手方向は測定血管Evの走行方向と直交しているので、血管検出系の一次元ＣＣＤ６１にはインジケータＴで指示された眼底像Ea’が拡大して撮像されている。
【００４６】
角度合わせが終了した後にスイッチ８を回転操作して、図８に示すようにインジケータＴを矢印で示す方向に移動し、トラッキング光に重畳しているスポット像を測定部位に合致させて測定部位を選択する。そして、測定部位を決定した後にスイッチ８を押し込んで、トラッキングの開始を入力する。
【００４７】
スイッチ８からシステム制御部６６を介してトラッキング開始の指令が制御回路６９に入力されると、血管位置検出回路６８において、一次元ＣＣＤ６１の受光信号に基づいて血管像Ev' の一次元基準位置からの移動量が算出される。そして、制御回路６９によりこの移動量に基づいてガルバノメトリックミラー４１が駆動され、一次元ＣＣＤ６１上の血管像Ev' の受像位置が一定になるように制御される。
【００４８】
検者はトラッキング開始を確認した後で、スイッチ８を更に押し込み２段目のスイッチで測定を開始する。システム制御部６６により光路切換えミラー５３が光路に挿入され、先ず被検眼Ｅの瞳孔Ep上のスポット像Ｐの位置から入射した光束がフォトマルチプライヤ６５ａ、６５ｂに受光され、この受光信号がシステム制御部６６に取り込まれ、最大周波数シフト｜Δfmax１｜、｜Δfmax２｜が求められる。ここで、｜Δfmax１｜、｜Δfmax２｜は、それぞれフォトマルチプライヤ６５ａ、６５ｂからの出力信号の処理結果である。
【００４９】
このとき、入射される光束はスポット像Ｐに位置し、測定受光光束Da、Dbに対し十分に変位した位置に設けられているため、通常であれば最大速度Vmaxは、
Vmax＝｛λ／（n ・α）｝・||Δfmax１| −| Δfmax２||    ・・・(1)
によって求められるが、眼底Ea上の血管Evの位置によっては、真の流速は、
Vmax＝｛λ／（n ・α）｝・||Δfmax１| ＋| Δfmax２||    ・・・(2)
としなくてはならない場合も存在する。ここで、λは測定光束の波長、ｎは測定部位の屈折率、αは測定光束、受光光束のなす角度である。
【００５０】
本実施例では初めにこの状態で仮測定を行って、先の式(1) による最大速度Vmaxを算出した後に、システム制御部６６により光路切換ミラー５３を光路中から退避し、被検眼Ｅの瞳孔Ep上のスポット像Ｐ’の位置から光束を入射させて測定を行う。
【００５１】
瞳孔Ep上のスポット像Ｐ’の位置は、図４に示したように他方のスポット像Ｐの中心を通り、測定受光光束Da、Dbの中心を結んだ直線と平行な直線上に中心を持つように配置されるが、特に本実施例ではスポット像Ｐ、Ｐ’の間隔が測定受光光束Da、Dbの中心間の距離よりも大きく、かつ２つの直線の中点を結ぶ直線がそれぞれの中心を結んだ直線と直交するように選択されている。
【００５２】
入射光位置をスポット像Ｐから、このように選択したスポット像Ｐ’に切換えた後に、再びシステム制御部６６は２つのフォトマルチプライヤ６５ａ、６５ｂから信号を取り込み、それぞれの最大周波数シフト｜Δfmax１'|、｜Δfmax２'|を算出し、式(1) に従って最大速度Vmaxを算出する。システム制御部６６はこの２つの最大速度VmaxとVmax’を比較することにより、真の最大流速を求めるための適切な光束の入射方向を決定し、この情報に基づいて光路切換えを適切な状態にして、本測定を適当な時間間隔で最大速度Vmax又はVmax’の算出を繰り返しながら継続的に行うように制御する。
【００５３】
このようにして求められた血流最大速度は血流速表示用ＬＥＤ１１に表示され、乳頭右部の血管の測定が終了する。この測定は約１０秒間行われるが、測定が開始してから終了するまでの間、システム制御部６６は操作ノブ１２からの信号を受け付けないように作動するので、検者が測定中に不注意に操作ノブ１２に触れても、視標像Ｆの位置は測定開始の位置のままで動かない。
【００５４】
ただし、この場合に被検眼Ｅの眼底Eaが大きな動きをして測定部位がサークルＳ外に出てしまうと、トラッキングができなくなり測定不能となるので、本実施例ではガルバノメトリックミラー４１を駆動する制御回路６９の信号によりガルバノメトリックミラー４１の回転角が１．５度を越えると、システム制御部６６はインジケータＴの端がサークルＳの線の外側にあると判断して、透過型液晶板２８に信号を送り、固視標として表示しているドットパターンＱを点滅させて被検者に警告を与え、再び視線を固視標に向けさせるようにする。なお、この警告はドットパターンＱを点滅させる代りに、表示するドットパターンＱの数を増やして大きな固視標として呈示してもよいし、ＬＥＤを固視標にしている場合はその明るさを増してもよく、更に音声で警告を与えてもよい。
【００５５】
この警告を与えた後に、依然としてガルバノメトリックミラー４１の回転角が１．５度を越え、インジケータＴの端がサークルＳの線の外側にあるる場合には、システム制御部６６は透過型液晶板２８に信号を送り、図９に示すように別のドットパターンＱを表示させて視標像Ｆの位置を変え、測定部がサークルＳの中央になるように被検眼Ｅの視線を誘導する。仮に、操作ノブ１２からの信号によって視標像Ｆの位置が変わるようになっていたとしても、この制御により煩わしい操作が殆ど不要となる。
【００５６】
【発明の効果】
以上説明したように第１発明に係る眼科診断装置は、被検眼の眼底の動きがトラッキング手段のミラーの駆動範囲を越えた場合に、警告を発して再び視線を固視標に向けるように促すので、眼底の動きが大きい場合にもトラッキングが継続できる。
【００５７】
第２発明に係る眼科診断装置は、被検眼の眼底の動きがトラッキング手段のミラーの駆動範囲を越えた場合に、自動的に固視標の提示位置を変えて測定位置が中央に至るようにするので、検者が被検眼の視線の誘導をする必要がなく、容易にトラッキングを継続できる。
【図面の簡単な説明】
【図１】実施例の斜視図である。
【図２】測定ヘッドの構成図である。
【図３】ドットパターンの説明図である。
【図４】瞳孔上の光束配置の説明図である。
【図５】眼底像の説明図である。
【図６】共焦点絞りの説明図である。
【図７】インジケータの回転の説明図である。
【図８】インジケータの移動の説明図である。
【図９】視標像の位置変更の説明図である。
【符号の説明】
２  ステージ固定部
３  テレビモニタ
４  ステージ可動部
６  測定ヘッド
７  操作桿
１２  操作ノブ
１３  フォーカスノブ
１４  イメージローテータノブ
２１  観察用光源
２８  透過型液晶板
３９  ＣＣＤカメラ
４０  イメージローテータ
４１  ガルバノメトリックミラー
５３  光路切替ミラー
５５  レーザーダイオード
５７  トラッキング用光源
６１  一次元ＣＣＤ
６３  共焦点絞り
６５ａ、６５ｂ  フォトマルチプライヤ
６６  システム制御部
６９  制御回路
【図１】
0003636533.tif 000002
【図２】
0003636533.tif 000003
【図３】
0003636533.tif 000004
【図４】
0003636533.tif 000005
【図５】
0003636533.tif 000006
【図６】
0003636533.tif 000007
【図７】
0003636533.tif 000008
【図８】
0003636533.tif 000009
【図９】
0003636533.tif 000010